【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
着磁コイルが設けられた円筒状の着磁ヨークに円環状マグネットを挿入し、前記着磁コイルに電流を加えて、前記円環状マグネットに２ｎ（ｎは１以上の整数）個の磁極を形成する着磁方法において、
周方向幅が電気角度で１４０度以下である２ｎ個の磁性材料製の着磁柱を、前記円環状マグネットの外周面部で前記磁極の略中心部に対向配置する円環状のマグネットの着磁方法。
【請求項２】
前記着磁柱は、略柱状または、扇型形状である請求項１に記載の着磁方法。
【請求項３】
前記着磁柱は、前記着磁ヨークの中心から径方向に移動可能である請求項１または請求項２に記載の着磁方法。
【請求項４】
前記着磁柱を移動して、前記着磁ヨークと前記円環状マグネットの間の隙間および、前記円環状マグネットと前記着磁柱の隙間を小さくする請求項３に記載の着磁方法。
【請求項５】
着磁コイルが巻かれ、２ｎ（ｎは１以上の整数）個の突極部を有する円筒状の着磁ヨークと、
前記着磁ヨークの前記各突極部の周方向略中心部であって電気角度で１４０度以下の周方向範囲内に、円環状マグネットを挿入配置するための半径方向の隙間を介して、磁性材料製の着磁柱を前記着磁ヨークの周囲に配置した円環状マグネットの着磁装置。
【請求項６】
前記着磁柱が、略柱状または、扇型形状である請求項５に記載の着磁装置。
【請求項７】
前記着磁柱が、前記着磁ヨークの中心から径方向に移動可能である請求項５または請求項６に記載の着磁装置。
【請求項８】
前記着磁柱を移動して、前記着磁ヨークと前記円環状マグネットの間の隙間および、前記円環状マグネットと前記着磁柱の隙間を小さくする請求項７に記載の着磁装置。
【請求項９】
請求項１から請求項４のいずれかに記載の着磁方法により着磁された円環状のマグネットを搭載したブラシレスモータ。
【請求項１０】
請求項５から請求項８のいずれかに記載の着磁装置により着磁された円環状のマグネットを搭載したブラシレスモータ。
【手続補正２】
【補正対象書類名】明細書
【補正対象項目名】００１４
【補正方法】変更
【補正の内容】
【００１４】
上記目的を達成するために、本願発明の着磁方法は、着磁コイルが設けられた円筒状の着磁ヨークに円環状マグネットを挿入し、着磁コイルに電流を加えて、円環状マグネットに２ｎ（ｎは１以上の整数）個の磁極を形成するものであって、周方向幅が電気角度で１４０度以下である２ｎ個の磁性材料製の着磁柱を、円環状マグネットの外周面部で磁極の略中心部に対向配置し、円環状のマグネットを着磁することを特徴としたものである。
【手続補正３】
【補正対象書類名】明細書
【補正対象項目名】００１６
【補正方法】変更
【補正の内容】
【００１６】
また、本願発明の着磁装置は、着磁コイルが巻かれ、２ｎ（ｎは１以上の整数）個の突極部を有する円筒状の着磁ヨークと、着磁ヨークの各突極部の周方向略中心部であって電気角度で１４０度以下の周方向範囲内に、円環状マグネットを挿入配置するための半径方向の隙間を介して、磁性材料製の着磁柱を着磁ヨークの周囲に配置したことを特徴としたものである。
【手続補正４】
【補正対象書類名】明細書
【補正対象項目名】００１８
【補正方法】変更
【補正の内容】
【００１８】
また、本願発明は、着磁柱を着磁ヨークに中心から径方向に移動して、着磁ヨークと円環状マグネットの間の隙間および、円環状マグネットと着磁柱の隙間を小さくすることを特徴としたものである。
【手続補正５】
【補正対象書類名】明細書
【補正対象項目名】００１９
【補正方法】変更
【補正の内容】
【００１９】
さらに、本願発明は、上記着磁方法または上記着磁装置により着磁された円環状のマグネットを搭載したブラシレスモータであることを特徴とするものである。
【手続補正６】
【補正対象書類名】明細書
【補正対象項目名】００２０
【補正方法】変更
【補正の内容】
【００２０】
本発明によれば、着磁時の着磁ヨーク外径に対するマグネット内径の同軸度を大幅に改善できるため、着磁ズレなどの発生を抑制してモータのトルクむら、コギングむらを少なくすることが可能となり、低騒音なブラシレスモータを構成することが可能となる。
【手続補正７】
【補正対象書類名】明細書
【補正対象項目名】００２７
【補正方法】変更
【補正の内容】
【００２７】
図１、図２に示す着磁される円環状マグネット１を８極着磁ヨーク２に挿入する。前記８極着磁ヨーク２に挿入された円環状マグネット１の外周部には等間隔に断面形状が扇型の磁性体からなる着磁柱３を配置する。前記８極着磁ヨーク２は、着磁コア４に着磁コイル５が巻かれており、前記着磁コイル５に高圧電流を印加して円環状マグネット１を磁化する。
【手続補正８】
【補正対象書類名】明細書
【補正対象項目名】００２８
【補正方法】変更
【補正の内容】
【００２８】
このときに、前記８極着磁ヨーク２の着磁コア４の各スロットの周方向外周面の略中心線上に前記断面形状が扇型の磁性体からなる着磁柱３の周方向中心部が位置するように配置され、前記着磁柱３の中心部は、前記円環状マグネット１の外径と同軸で前記着磁柱３の中心部を通る円線上に電気角度で１４０度以下の範囲に配置されている。
【手続補正９】
【補正対象書類名】明細書
【補正対象項目名】００２９
【補正方法】変更
【補正の内容】
【００２９】
更に図１のａ−ａ’断面図である図２を用いて説明する。ここで着磁ヨーク２の着磁コイル５が巻かれた着磁コア４の外周部側に微小隙間、例えば、半径方向隙間が、０．１ｍｍの隙間をおいて、円環状マグネット１が挿入されている。更に、その円環状マグネット１の外周部側には、前記隙間と同じ間隔にて前記断面形状が扇型の磁性体からなる着磁柱３が周方向に等間隔に設置されている。前記着磁柱３は、磁極幅よりも小さい、つまり、この場合は１２極であるので、電気角度で１４０度以下の幅にする。前記着磁柱３は、前記ステータコア４の内周中心点と外周部面とが直角に接する点に対向する前記着磁柱３の内周面側中心点とが同直線状になるように配置されている。極数が異なる場合も前記の磁極角範囲内での構成を行えばよい。
【手続補正１０】
【補正対象書類名】明細書
【補正対象項目名】００３０
【補正方法】変更
【補正の内容】
【００３０】
図４は、図１、図２および、図３に示されている着磁装置および着磁方法におけるマグネットの磁束方向の分布をまとめたものである。詳細には、図４（ｄ）に示している着磁ヨ−ク２の中心点を中心として、着磁コア４の突極部９の着磁コイル５を含む電気角度で９０度の範囲（図４（ｄ）の斜線部）を検証した。
【手続補正１１】
【補正対象書類名】明細書
【補正対象項目名】００３３
【補正方法】変更
【補正の内容】
【００３３】
図４（ａ）の着磁リング無しの状態では、着磁コア４の突極部の周方向中心部付近ではマグネット外周面に対して磁束方向が垂直になっているが、隣極に近づくにつれて磁束方向は垂直ではなく横向きに近づいている。
【手続補正１２】
【補正対象書類名】明細書
【補正対象項目名】００３６
【補正方法】変更
【補正の内容】
【００３６】
以上の磁束方向の分布を検証した結果から分かるように、磁束方向が着磁コアからマグネット外周面側に対して垂直に向いている、つまり、マグネットが十二分に着磁されているのは、図４（ｃ）の状態である。
【手続補正１３】
【補正対象書類名】明細書
【補正対象項目名】００４５
【補正方法】変更
【補正の内容】
【００４５】
また、図８には、略柱型の磁性体からなる着磁柱３が、固定ではなく、着磁ヨークの中心方向に移動可能で状態を示している。つまり、着磁柱３が着磁ヨークの中心方向に移動可能にすることで、前述した、マグネットと着磁柱３の隙間および、マグネットと着磁コア（着磁ヨーク）との隙間を小さくすることが可能となり、着磁の際の、着磁コアに対するマグネット位置精度を向上させることができる。場合によっては、マグネット外周（インナーロータの場合は内周）に接触させる構造にすれば、さらに着磁コアに対するマグネット位置精度を向上でき、着磁バラツキを押えることが可能となり、結果として、コギングを小さくすることが可能となる。
【手続補正１４】
【補正対象書類名】明細書
【補正対象項目名】００４９
【補正方法】変更
【補正の内容】
【００４９】
１  マグネット
２  ８極着磁ヨ−ク
３  着磁柱
４  着磁コア
５  着磁コイル
６  円環状着磁リング
７  磁束方向
８  着磁方向の検証範囲
９  突極部
１０  移動方向
１１  連結部